(57)【特許請求の範囲】
【請求項１】
複数の信号電極と複数の走査電極をマトリクス状に配設し、これらの信号電極と走査電極の各交差部に表示素子を有する液晶パネルと、
映像入力信号に応じた走査タイミングで前記複数の走査電極に走査電極駆動信号を供給する走査手段と、
入力される映像入力信号に応じて前記各信号電極に信号電極駆動信号を供給する駆動手段とを備え、
前記走査電極駆動信号と前記信号電極駆動信号とを正電位と負電位に交互に予め定めた周期毎に極性反転しながら前記各表示素子を交流駆動する液晶表示装置において、
前記駆動手段は、隣接する信号電極に供給されるそれぞれの信号電極駆動信号が、互いに異なるタイミングで変化する電位と、互いに一致するタイミングで互いに逆方向に変化する電位とを有する２つの信号電極駆動信号を前記隣接する信号電極に供給し、前記走査手段は信号電極駆動信号の電位が変化するタイミングで０電位となる走査電極駆動信号を供給することを特徴とする液晶表示装置。
【請求項２】
複数の信号電極と複数の走査電極をマトリクス状に配設し、これらの信号電極と走査電極の各交差部に表示素子を有する液晶パネルと、
映像入力信号に応じた走査タイミングで前記複数の走査電極に走査電極駆動信号を供給する走査手段と、
入力される映像入力信号に応じて前記各信号電極に信号電極駆動信号を供給する駆動手段とを備え、
前記走査電極駆動信号と前記信号電極駆動信号とを正電位と負電位に交互に予め定めた周期毎に極性反転しながら前記各表示素子を交流駆動する液晶表示装置において、
前記複数の信号電極は、液晶パネルの反対方向の辺へ交互に引き出され、前記駆動手段はこれらの引き出された複数の信号電極に対応させて複数設けられ、これらの複数の駆動手段毎に、隣接する信号電極に供給されるそれぞれの信号電極駆動信号が、互いに異なるタイミングで変化する電位と、互いに一致するタイミングで互いに逆方向に変化する電位とを有する２つの信号電極駆動信号を前記隣接する信号電極に供給することを特徴とする液晶表示装置。
【請求項３】
複数の信号電極と複数の走査電極をマトリクス状に配設し、これらの信号電極と走査電極の各交差部に表示素子を有する液晶パネルと、
映像入力信号に応じた走査タイミングで前記複数の走査電極に走査電極駆動信号を供給する走査手段と、
入力される映像入力信号に応じて前記各信号電極に信号電極駆動信号を供給する駆動手段とを備え、
前記走査電極駆動信号と前記信号電極駆動信号とを正電位と負電位に交互に予め定めた周期毎に極性反転しながら前記各表示素子を交流駆動する液晶表示装置において、
前記複数の信号電極は、液晶パネルの反対方向の辺へ交互に引き出され、前記駆動手段はこれらの引き出された複数の信号電極に対応させて複数設けられ、これらの複数の駆動手段毎に、隣接する信号電極に供給されるそれぞれの信号電極駆動信号が、互いに異なるタイミングで変化する電位と、互いに一致するタイミングで互いに逆方向に変化する電位とを有する２つの信号電極駆動信号を前記隣接する信号電極に供給し、前記走査手段は信号電極駆動信号の電位が変化するタイミングで０電位となる走査電極駆動信号を供給することを特徴とする液晶表示装置。
【請求項４】
前記駆動手段は、前記各表示素子を交流駆動するための交流化制御信号の１周期中に電位が変化するタイミングのうちの一方のタイミングの直前と直後に互いに電位が逆で且つ幅の等しいパルスが重畳された波形の奇数側の信号電極駆動信号と、前記交流化制御信号の１周期中に電位が変化するタイミングのうちの他方のタイミングの直前と直後に互いに電位が逆で且つ幅の等しいパルスが重畳された波形の偶数側の信号電極駆動信号を発生し、それぞれを隣接する信号電極に供給することを特徴とする請求項１乃至３記載の液晶表示装置。
【請求項５】
前記走査手段は、前記駆動手段が発生する奇数側及び偶数側の信号電極駆動信号に重畳された前記パルスに対応する期間中を０電位とした走査電極駆動信号を前記走査電極に供給することを特徴とする請求項４記載の液晶表示装置。
【発明の詳細な説明】
【０００１】
【発明の属する技術分野】
本発明は、液晶表示装置に係り、詳細には、クロストークの発生を防止する液晶駆動機能を備える液晶表示装置に関する。
【０００２】
【従来の技術】
従来の液晶駆動方法としては、例えば、電圧平均化駆動方法がしられている。この電圧平均化駆動方法は、点灯画素の電圧を駆動電圧をＶ、それ以外の非点灯画素の電圧をＶ／ａとし、点灯駆動電圧Ｖに比べて非点灯電圧Ｖ／ａの電圧値を低く設定して、液晶表示パネルに表示される映像の視認性を向上させる駆動方法である。
【０００３】
【発明が解決しようとする課題】
しかしながら、このような従来の電圧平均化駆動方法にあっては、画質悪化の要因となるクロストーク発生の問題がある。すなわち、走査電極を極性反転駆動する際に、その走査駆動信号の極性反転タイミングに同期して極性反転される信号電極駆動信号に発生する微分波形（以下、スパイクという）が走査線に影響を及ぼして、クロストークを発生させるという問題があった。
【０００４】
本発明の課題は、走査電極を極性反転駆動する際に、信号電極駆動信号に発生するスパイクを、その極性反転タイミングの前後に分けて発生するようにして、そのスパイクの発生を相殺するようにするとともに、０バイアス期間を設けることにより、実効値の変化量を軽減して、クロストークの発生を軽減する液晶表示装置を提供することである。
【０００５】
【課題を解決するための手段】
請求項１記載の発明は、
複数の信号電極と複数の走査電極をマトリクス状に配設し、これらの信号電極と走査電極の各交差部に表示素子を有する液晶パネルと、
映像入力信号に応じた走査タイミングで前記複数の走査電極に走査電極駆動信号を供給する走査手段と、
入力される映像入力信号に応じて前記各信号電極に信号電極駆動信号を供給する駆動手段とを備え、
前記走査電極駆動信号と前記信号電極駆動信号とを正電位と負電位に交互に予め定めた周期毎に極性反転しながら前記各表示素子を交流駆動する液晶表示装置において、
前記駆動手段は、隣接する信号電極に供給されるそれぞれの信号電極駆動信号が、互いに異なるタイミングで変化する電位と、互いに一致するタイミングで互いに逆方向に変化する電位とを有する２つの信号電極駆動信号を前記隣接する信号電極に供給し、前記走査手段は信号電極駆動信号の電位が変化するタイミングで０電位となる走査電極駆動信号を供給することを特徴としている。
【０００６】
この請求項１記載の発明の液晶表示装置によれば、マトリックス型の液晶表示装置において、各信号電極に信号電極駆動信号を供給する駆動手段は、隣接する信号電極に供給されるそれぞれの信号電極駆動信号が、互いに異なるタイミングで変化する電位と、互いに一致するタイミングで互いに逆方向に変化する電位とを有する２つの信号電極駆動信号を前記隣接する信号電極に供給し、走査電極に走査電極駆動信号を供給する走査手段は信号電極駆動信号の電位が変化するタイミングで０電位となる走査電極駆動信号を供給して、前記表示素子が交流駆動される。
【０００７】
請求項２記載の発明は、
複数の信号電極と複数の走査電極をマトリクス状に配設し、これらの信号電極と走査電極の各交差部に表示素子を有する液晶パネルと、
映像入力信号に応じた走査タイミングで前記複数の走査電極に走査電極駆動信号を供給する走査手段と、
入力される映像入力信号に応じて前記各信号電極に信号電極駆動信号を供給する駆動手段とを備え、
前記走査電極駆動信号と前記信号電極駆動信号とを正電位と負電位に交互に予め定めた周期毎に極性反転しながら前記各表示素子を交流駆動する液晶表示装置において、
前記複数の信号電極は、液晶パネルの反対方向の辺へ交互に引き出され、前記駆動手段はこれらの引き出された複数の信号電極に対応させて複数設けられ、これらの複数の駆動手段毎に、隣接する信号電極に供給されるそれぞれの信号電極駆動信号が、互いに異なるタイミングで変化する電位と、互いに一致するタイミングで互いに逆方向に変化する電位とを有する２つの信号電極駆動信号を前記隣接する信号電極に供給することを特徴としている。
【０００８】
請求項２記載の発明の液晶表示装置によれば、マトリックス型の液晶表示装置において、前記複数の信号電極は、液晶パネルの反対方向の辺へ交互に引き出され、前記駆動手段はこれらの引き出された複数の信号電極に対応させて複数設けられ、これらの複数の駆動手段毎に、隣接する信号電極に供給されるそれぞれの信号電極駆動信号が、互いに異なるタイミングで変化する電位と、互いに一致するタイミングで互いに逆方向に変化する電位とを有する２つの信号電極駆動信号を前記隣接する信号電極に供給して、前記表示素子が交流駆動される。
【０００９】
したがって、奇数番信号電極と偶数番信号電極に印加される各入力信号の極性反転前後にスパイク波形を分散させて発生させるようにすることができ、このスパイク波形による液晶印加電圧の実効値の変化量を軽減するようにすることができ、クロストークの発生を軽減することができる。その結果、クロストークの発生を低減して、液晶表示装置に表示される表示画像の画質を向上させることができる。
【００１０】
請求項３記載の発明は、
複数の信号電極と複数の走査電極をマトリクス状に配設し、これらの信号電極と走査電極の各交差部に表示素子を有する液晶パネルと、
映像入力信号に応じた走査タイミングで前記複数の走査電極に走査電極駆動信号を供給する走査手段と、
入力される映像入力信号に応じて前記各信号電極に信号電極駆動信号を供給する駆動手段とを備え、
前記走査電極駆動信号と前記信号電極駆動信号とを正電位と負電位に交互に予め定めた周期毎に極性反転しながら前記各表示素子を交流駆動する液晶表示装置において、
前記複数の信号電極は、液晶パネルの反対方向の辺へ交互に引き出され、前記駆動手段はこれらの引き出された複数の信号電極に対応させて複数設けられ、これらの複数の駆動手段毎に、隣接する信号電極に供給されるそれぞれの信号電極駆動信号が、互いに異なるタイミングで変化する電位と、互いに一致するタイミングで互いに逆方向に変化する電位とを有する２つの信号電極駆動信号を前記隣接する信号電極に供給し、前記走査手段は信号電極駆動信号の電位が変化するタイミングで０電位となる走査電極駆動信号を供給することを特徴としている。
【００１１】
この請求項３記載の発明の液晶表示装置によれば、マトリックス型の液晶表示装置において、前記複数の信号電極は、液晶パネルの反対方向の辺へ交互に引き出され、前記駆動手段はこれらの引き出された複数の信号電極に対応させて複数設けられ、これらの複数の駆動手段毎に、隣接する信号電極に供給されるそれぞれの信号電極駆動信号が、互いに異なるタイミングで変化する電位と、互いに一致するタイミングで互いに逆方向に変化する電位とを有する２つの信号電極駆動信号を前記隣接する信号電極に供給し、前記走査手段は信号電極駆動信号の電位が変化するタイミングで０電位となる走査電極駆動信号を供給して、前記各表示素子が交流駆動される。
【００１２】
したがって、上下に分けた信号電極に印加される各映像入力信号の極性反転前後にスパイク波形を分散させて発生させるようにすることができ、このスパイク波形による液晶印加電圧の実効値の変化量を軽減するようにすることができ、クロストークの発生を軽減することができる。その結果、クロストークの発生を低減して、液晶表示装置に表示される表示画像の画質を向上させることができる。
【００１３】
また、信号電極の分割に対応させて駆動手段を上下に分けることにより、上下各駆動手段に夫々１種類の交流化信号を入力させるだけで上述した所期の効果を得ることができるので、内部の回路構成を簡略化することができ、その映像駆動手段をＩＣ化する際の回路面積を小さくして実装面積を縮小することができる。加えて、電極の接続端子部の配列ピッチが２倍になり、配線接続の信頼性が向上する。
【００１４】
この場合、請求項４に記載する発明のように、請求項１乃至３記載の発明の液晶表示装置において、駆動手段は、前記各表示素子を交流駆動するための交流化制御信号の１周期中に電位が変化するタイミングのうちの一方のタイミングの直前と直後に互いに電位が逆で且つ幅の等しいパルスが重畳された波形の奇数側の信号電極駆動信号と、前記交流化制御信号の１周期中に電位が変化するタイミングのうちの他方のタイミングの直前と直後に互いに電位が逆で且つ幅の等しいパルスが重畳された波形の偶数側の信号電極駆動信号を発生し、それぞれを隣接する信号電極に供給するようにすることが有効である。
【００１５】
また、請求項５に記載する発明のように、請求項４記載の発明の液晶表示装置において、前記走査手段は、前記駆動手段が発生する奇数側及び偶数側の信号電極駆動信号に重畳された前記パルスに対応する期間中を０電位とした走査電極駆動信号を前記走査電極に供給することが有効である。
【００１６】
この請求項５記載の発明の液晶表示装置では、前記駆動手段が発生する奇数側及び偶数側の信号電極駆動信号に重畳された前記パルスに対応する期間中を０電位とした走査電極駆動信号を前記走査電極に供給される。
【００１７】
したがって、上下に分けた信号電極に印加される各入力信号の極性反転前後にスパイク波形を分散させて発生させるようにすることができ、このスパイク波形による液晶印加電圧の実効値の変化量を軽減するようにすることができ、クロストークの発生を軽減することができる。そして更に信号電極内の抵抗値の差によって発生する電位差を隣接する組の延出方向が一致した対応する信号電極同士で相殺させることができる。その結果、クロストークの発生を低減できると共に、液晶表示装置に表示される表示画像の画質を更に向上させることができる。
【００１８】
また、駆動手段を上下に分けることにより内部の回路構成を簡略化することができ、その駆動手段をＩＣ化する際の回路面積を小さくして実装面積を縮小することができると共に、電極の接続端子部の配列ピッチが２倍になり、配線接続の信頼性が向上する。
【００１９】
【発明の実施の形態】
以下、図を参照して本発明の実施の形態を詳細に説明する。
【００２０】
（第１の実施の形態）
図１〜図１３は、本発明を適用した第１の実施の形態の液晶表示装置を示す図である。
【００２１】
まず、構成を説明する。
【００２２】
図１は、本第１の実施の形態の液晶表示装置１の要部構成を示すブロック図である。この図１において、液晶表示装置１は、ＣＯＭドライバ（以下、コモンドライバという）２、ＳＥＧドライバ（以下、セグメントドライバという）３及び液晶表示パネル４により構成されている。この液晶表示パネル４は、１０×１０ドットサイズのものとする。
【００２３】
コモンドライバ２は、図２に示すように、シフトレジスタ２０１、レベルシフタ２１１〜２２０及び電圧選択部２２１〜２３０により構成されており、図外の図示しない液晶駆動用電源から電源電圧として正電源Ｖ０と負電源Ｖ４が入力され、図外の図示しない制御部からＣＯＭ制御信号（ラッチ信号、走査開始信号、交流化制御信号、ＤＩＳＰ  ＯＦＦ信号）が入力されている。
【００２４】
シフトレジスタ２０１は、制御部から入力される走査開始信号をラッチ信号によってラッチして走査電極毎に１本ずつシフトしてレベルシフタ２１１〜２２０に出力する。レベルシフタ２１１〜２２０は、シフトレジスタ２０１から入力される走査開始信号を液晶駆動電圧レベルに変換して電圧選択部２２１〜２３０に出力する。そして、電圧選択部２２１〜２３０は、制御部から入力される交流化制御信号により走査側駆動電圧を正電圧Ｖ０か負電圧Ｖ４を選択して走査電極Ｘ１〜Ｘ１０を順次駆動する。
【００２５】
また、電圧選択部２２１〜２３０は、制御部から入力されるＤＩＳＰ  ＯＦＦ信号により走査側駆動電圧を強制的にＧＮＤ（グランド）レベルにして、液晶表示パネル４の画像表示をＯＦＦさせる。
【００２６】
セグメントドライバ３は、図３に示すように、シフトレジスタ３０１、レベルシフタ３１１〜３２０及び電圧選択部３２１〜３３０により構成されており、図外の図示しない液晶駆動用電源から電源電圧として正電源Ｖ１と負電源Ｖ３が入力され、図外の図示しない制御部からＳＥＧ制御信号（データシフトクロック、データラッチ信号、奇数電極用交流化信号、偶数電極用交流化信号）とＤＡＴＡ（表示データ）が入力されている。
【００２７】
シフトレジスタ３０１は、制御部から入力される表示データを、入力されるデータシフトクロックに同期して取り込み、その取り込んだ表示データを、信号電極の１水平走査期間に合わせてデータラッチ信号により全信号電極分ラッチして、そのラッチした表示データを同時にレベルシフタ３１１〜３２０に出力する。レベルシフタ３１１〜３２０は、全信号電極分の表示データを液晶駆動電圧レベルに変換して電圧選択部３２１〜３３０に出力する。そして、電圧選択部３２１〜３３０は、制御部から入力される奇数電極用交流化信号により正電圧Ｖ１か負電圧Ｖ３を選択して奇数信号電極Ｙ１，Ｙ３〜Ｙ９を駆動するとともに、制御部から入力される偶数電極用交流化信号により正電圧Ｖ１か負電圧Ｖ３を選択して偶数信号電極Ｙ２，Ｙ４〜Ｙ１０を駆動する。
【００２８】
なお、上記コモンドライバ２により選択される正電源Ｖ０と負電源Ｖ４、セグメントドライバ３により選択される正電源Ｖ１と負電源Ｖ３の各電源電圧の関係は、一般的な電圧平均化駆動方法と同じものである。
【００２９】
液晶表示パネル４は、１０×１０ドットサイズの画像表示エリアを形成するため、１０本の走査電極Ｘ１〜Ｘ１０と１０本の信号電極Ｙ１〜Ｙ１０とから構成される。液晶表示パネル４は、コモンドライバ２により走査電極Ｘ１〜Ｘ１０が駆動されるとともに、セグメントドライバ３により信号電極Ｙ１〜Ｙ１０が駆動されて画像表示が行われる。
【００３０】
次に、本第１の実施の形態の動作を説明する。
【００３１】
まず、コモンドライバ２における動作について図４及び図５に示すタイミングチャートを参照して説明する。
【００３２】
図４において、（ａ）は交流化制御信号を示し、（ｂ）〜（ｅ）は走査電極Ｘ１〜Ｘ４の各駆動信号を示す。また、図５において、（ａ）は交流化制御信号を示し、（ｂ）はＤＩＳＰ  ＯＦＦ信号を示し、（ｃ）〜（ｆ）は走査電極Ｘ１〜Ｘ４の各走査電極駆動信号をそれぞれ示す。
【００３３】
コモンドライバ２内のシフトレジスタ２０１では、制御部から入力される走査開始信号がラッチ信号によってラッチされて、走査電極Ｘ１〜Ｘ４毎に１本ずつシフトされてレベルシフタ２１１〜２２０に出力される。レベルシフタ２１１〜２２０では、シフトレジスタ２０１から入力される走査開始信号が液晶駆動電圧レベルに変換されて電圧選択部２２１〜２３０に出力される。そして、電圧選択部２２１〜２３０では、制御部から入力される図４（ａ）に示す交流化制御信号により走査電極３本毎に、走査側駆動電圧として正電圧Ｖ０あるいは負電圧Ｖ４が選択されて、図４（ｂ）〜（ｅ）に示すように走査電極Ｘ１〜Ｘ１０が順次シフトされて交流反転駆動される。
【００３４】
また、図５（ｂ）のＤＩＳＰ  ＯＦＦ信号が制御部から入力されると、コモンドライバ２では、走査側駆動電圧が強制的にＧＮＤ（グランド）レベルにされて、液晶表示パネル４の画像表示をＯＦＦさせる。
【００３５】
次いで、セグメントドライバ３における動作について図６に示すタイミングチャートを参照して説明する。
【００３６】
図６において、（ａ）は奇数電極用交流化信号、（ｂ）は偶数電極用交流化信号、（ｃ）は表示データ（ＤＡＴＡ）、（ｄ）は奇数信号電極Ｙ１，Ｙ３〜Ｙ９の駆動信号を示し、（ｅ）は偶数信号電極Ｙ２，Ｙ４〜Ｙ１０の信号電極駆動信号をそれぞれ示す。
【００３７】
セグメントドライバ３内のシフトレジスタ３０１では、制御部から入力される図７（ｃ）に示す表示データ（ＤＡＴＡ）が、入力されるデータシフトクロックに同期して取り込まれ、その取り込んだ表示データが、信号電極の１水平走査期間に合わせてデータラッチ信号により全信号電極分ラッチされて、そのラッチした表示データが同時にレベルシフタ３１１〜３２０に出力される。レベルシフタ３１１〜３２０では、全信号電極分の表示データが液晶駆動電圧レベルに変換されて電圧選択部３２１〜３３０に出力される。そして、電圧選択部３２１〜３３０では、制御部から入力される図６（ａ）に示す奇数電極用交流化信号により正電圧Ｖ１か負電圧Ｖ３が選択されて図６（ｄ）に示すように奇数信号電極Ｙ１，Ｙ３〜Ｙ９が駆動されるとともに、制御部から入力される図６（ｂ）に示す偶数電極用交流化信号により正電圧Ｖ１か負電圧Ｖ３が選択されて図６（ｅ）に示すように偶数信号電極Ｙ２，Ｙ４〜Ｙ１０が駆動される。
【００３８】
図６において、（ａ）は奇数電極用交流化信号と、（ｂ）は偶数電極用交流化信号では、その立上りと立下りタイミング部分に、走査側交流反転駆動の際に発生するスパイクを低減するためのパルスを発生させている。
【００３９】
次いで、液晶表示パネル４における表示例を図７に示す。この表示例では、走査電極Ｘ５〜Ｘ１０かつ信号電極Ｙ７〜Ｙ１０の範囲は白を表示し、その他の範囲は黒を表示している。この表示例に応じた従来の電圧平均化駆動方式による駆動波形と本実施の形態の駆動方式による駆動波形を図８に示す。
【００４０】
この図８において、（ａ）は交流化制御信号、（ｂ）、（ｃ）は従来の電圧平均化駆動方式による信号電極駆動信号Ｙ１〜Ｙ６（黒表示部分），Ｙ７〜Ｙ１０（白表示部分）、（ｄ）は（ａ）の交流化制御信号と（ｂ）（ｃ）の信号電極駆動信号により発生するスパイク波形、（ｅ）は（ｃ）のスパイク波形に対応するスパイク数、（ｆ）は表示データ（Ｙ７〜Ｙ１０）、（ｇ）は本案の駆動方式による奇数側の信号電極駆動信号Ｙ１，Ｙ３，Ｙ５（黒表示部分）、（ｈ）は本案の駆動方式による偶数側の信号電極駆動信号Ｙ２，Ｙ４，Ｙ６（黒表示部分）、（ｉ）は本案の駆動方式による奇数側の信号電極駆動信号Ｙ７，Ｙ９（白表示部分）、（ｊ）は本案の駆動方式による偶数側の信号電極駆動信号Ｙ８，Ｙ１０（白表示部分）、（ｋ）は（ｇ）〜（ｊ）の信号電極駆動信号により発生するスパイク波形、（ｌ）は（ｋ）のスパイク波形に対応するスパイク数、をそれぞれ示している。
【００４１】
図８（ａ）の交流化制御信号は、走査電極３本毎に交流反転するものである。そして、従来の電圧平均化駆動方式による（ａ）の交流化制御信号と（ｂ）（ｃ）の信号電極駆動信号により発生する（ｄ）のスパイク波形では、そのスパイク発生量は、（ｅ）に示すように、交流化制御信号に応じて駆動電圧が切り換えられる信号電極駆動信号数に比例する。また、非選択期間では、液晶印加電圧はスパイク波形と信号電極信号の差となる。
【００４２】
ここで、図８に示す期間Ａと期間Ｂにおける従来の電圧平均化駆動方式による駆動波形の拡大図を図９に示すとともに、本案の駆動方式による駆動波形の拡大図を図１０に示して説明する。
【００４３】
期間Ａでは、全ての信号が黒表示することを示しており、図９の従来の電圧平均化駆動方式では、（ａ）の交流化制御信号の切り替わり時の立上りタイミングと同時に、（ｂ）の信号電極駆動信号Ｙ１〜Ｙ６及び（ｃ）の信号電極駆動信号Ｙ７〜Ｙ１０の各立上りタイミングで切り替わるため、スパイク波形の発生量は（ｄ）に示すように“１０（信号電極の本数）”分となる。
【００４４】
この図９の期間Ａに対して、図１０の期間Ａにおける本案の駆動方式による駆動波形では、交流化制御信号の切り替わる前に、（ｈ）及び（ｊ）に示す偶数側の信号電極駆動信号Ｙ２，Ｙ４，Ｙ６，Ｙ８，Ｙ１０に設定されたパルス波形により、（ｋ）に示す最初の信号電極５本分のスパイク波形が発生する。そして、この交流化制御信号の切り替わり後にも、（ｇ）及び（ｉ）に示す奇数側の信号電極駆動信号Ｙ１，Ｙ３，Ｙ５，Ｙ７，Ｙ９の切り替わりにより、信号電極５本分のスパイク波形が続いて発生する。
【００４５】
したがって、交流化制御信号の切り替わりと同じタイミングでは、隣り合う奇数と偶数の各信号電極駆動信号の夫々に設定された各パルス波形が立上りタイミングと立下りタイミングで切り替わるため、各パルス波形に発生するスパイク波形は相殺される。
【００４６】
その結果、従来の電圧平均化駆動方式では、液晶印加電圧に、交流化制御信号の切り替わり時に全ての信号電極駆動信号Ｙ１〜Ｙ１０で発生するスパイク波形１０の影響を受けるが、本案の駆動方式では、交流化制御信号の切り替わり前の偶数側信号電極駆動信号Ｙ２，Ｙ４，Ｙ６，Ｙ８，Ｙ１０による５本分のスパイク波形が隣り合う奇数側信号電極駆動信号Ｙ１，Ｙ３，Ｙ５，Ｙ７，Ｙ９に発生する５本分のスパイク波形によってほぼ相殺されるため、すなわち、隣り合う信号電極は、切り替り前のタイミングではどちらかの電位が反転しているため、一方の液晶印加電圧が増え、他方の液晶印加電圧は減るため、液晶印加電圧の変化は、最初の切り替り後に偶数側の信号電極駆動信号Ｙ２，Ｙ４，Ｙ６，Ｙ８，Ｙ１０の切り替わりにより発生する５本分のスパイク波形（従来の半分）だけとなって、スパイク波形の発生量を低減できる。
【００４７】
また、本案の駆動方式による任意の非選択期間においてある画素に印加される液晶印加電圧の時間変化を図１１に示す。この図１１において、（ａ）の交流化制御信号は、走査電極３本毎に交流反転するものである。図１１に示す期間Ｃのタイミングでは、（ａ）の交流化制御信号の切り替わりタイミングを境にして、（ｂ）の液晶印加電圧に発生するスパイク波形は相殺されている。また、図１１に示す期間Ｄのタイミングでは、（ａ）の交流化制御信号の切り替わりタイミングを境にして、（ｂ）の液晶印加電圧に発生するスパイク波形の影響を受けている。
【００４８】
この場合、実際には、図１１の期間Ｃと期間Ｄは交互に現れるため、スパイク波形の影響が有る場合と無い場合との面積階調表示となる。但し、このままの駆動パターンだと交流反転前後における選択期間で印加される液晶印加電圧の実効値が、交流反転をしていない非選択期間で印加される液晶印加電圧の実効値と異なってしまう。すなわち、例えば、図１２に示す駆動波形のように、（ａ）の走査電極３本毎に交流反転する交流化制御信号の反転タイミングで反転制御される（ｂ）の信号電極駆動信号と（ｃ）、（ｄ）の走査電極駆動信号との合成電圧である（ｅ）、（ｆ）に示す液晶印加電圧（ＳＥＧ−ＣＯＭ）において、Ｙ１の選択期間の実効電圧値とＹ２の選択期間の実効電圧値とを比較すると、表示データが同じにもかかわらず、交流化制御信号の波形によって異なる値をとってしまっている。
【００４９】
この実効値の変化を解消するため、本第１の実施の形態では、図５に示したように走査電極駆動信号に０バイアス期間を設けることで、選択期間の交流反転前後の液晶印加電圧の実効値を、交流反転しない非選択期間の液晶印加電圧の実効値と変わらないようにしている。
【００５０】
その結果、本案の駆動方式によれば、選択期間におけるスパイク波形の発生量を低減しつつ、選択期間に印加される液晶印加電圧の実効値と非選択期間に印加される液晶印加電圧の実効値とを等しくして、液晶表示パネル４に表示される画像の品質を向上させる。
【００５１】
また、データ信号がハイである走査期間に白と黒の表示データが半分ずつ入力される場合は、走査電極駆動信号と信号電極駆動信号に発生するスパイク波形は相殺されるが、図７に示した表示例のように白と黒の表示データ数が異なる場合は、その差分のスパイク波形が発生する。したがって、図１０に示す期間Ｂでは、交流化制御信号の切り替わるタイミングの前後において、奇数側の信号電極駆動信号Ｙ１，Ｙ３，Ｙ５，Ｙ７，Ｙ９に発生するスパイク波形と、偶数側の信号電極駆動信号Ｙ２，Ｙ４，Ｙ６，Ｙ８，Ｙ１０に発生するスパイク波形との差分のスパイク波形が液晶印加電圧に影響するため、従来の電圧平均化駆動方式に比べて、スパイク波形の影響を約半分にすることができる。
【００５２】
以上のように、本第１の実施の形態の液晶表示装置１では、信号電極側の交流化信号を図６に示したように、奇数電極用交流化信号と偶数電極用交流化信号として、交流化制御信号により切り換えられる際に、その切り換え前後にスパイク波形を分散させて発生させるようにするとともに、制御部からＤＩＳＰ  ＯＦＦ信号が入力された場合には、信号電極駆動信号に０バイアス期間を設けることで、スパイク波形による液晶印加電圧の実効値の変化量を軽減するようにしたため、クロストークの発生を軽減することができる。
【００５３】
その結果、クロストークの発生を低減して、液晶表示装置１に表示される表示画像の画質を向上させることができる。
【００５４】
なお、上記第１の実施の形態の液晶表示装置１では、信号電極側の交流化信号を図６に示した形態の奇数電極用交流化信号と偶数電極用交流化信号としたが、この信号形態に限るものではなく、例えば、図１３に示すような信号形態の奇数電極用交流化信号と偶数電極用交流化信号としてもよい。さらに、信号電極側の交流化信号として奇数電極用交流化信号と偶数電極用交流化信号の２種類の交流化信号を用いた場合を説明したが、交流化信号を３種類以上用いるようにしてもよい。
【００５５】
（第２の実施の形態）
図１４〜図１８は、本発明を適用した第２の実施の形態の液晶表示装置を示す図である。
【００５６】
まず、構成を説明する。
【００５７】
図１４は、本第２の実施の形態の液晶表示装置４０の要部構成を示すブロック図である。この図１４において、液晶表示装置４０は、ＣＯＭドライバ（以下、コモンドライバという）４１、ＳＥＧドライバ（以下、セグメントドライバという）４２、４３及び液晶表示パネル４４により構成されている。この液晶表示パネル４４は、１０×１０ドットサイズのものとする。
【００５８】
コモンドライバ４１は、図１５に示すように、シフトレジスタ４０１、レベルシフタ４１１〜４２０及び電圧選択部４２１〜４３０により構成されており、図外の図示しない液晶駆動用電源から電源電圧として正電源Ｖ０と負電源Ｖ４が入力され、図外の図示しない制御部からＣＯＭ制御信号（ラッチ信号、走査開始信号、交流化制御信号、ＤＩＳＰ  ＯＦＦ信号）が入力されている。
【００５９】
シフトレジスタ４０１は、制御部から入力される走査開始信号をラッチ信号によってラッチして走査電極毎に１本ずつシフトしてレベルシフタ４１１〜４２０に出力する。レベルシフタ４１１〜４２０は、シフトレジスタ４０１から入力される走査開始信号を液晶駆動電圧レベルに変換して電圧選択部４２１〜４３０に出力する。そして、電圧選択部４２１〜４３０は、制御部から入力される交流化制御信号により走査側駆動電圧を正電圧Ｖ０か負電圧Ｖ４を選択して走査電極Ｘ１〜Ｘ１０を順次駆動する。
【００６０】
また、電圧選択部４２１〜４３０は、制御部から入力されるＤＩＳＰ  ＯＦＦ信号により走査側駆動電圧を強制的にＧＮＤ（グランド）レベルにして、液晶表示パネル４４の画像表示をＯＦＦさせる。
【００６１】
図１６に示すように、信号電極が液晶表示パネル４４の上側に引き出した信号電極Ｈ１〜Ｈ５と下側に引き出した信号電極Ｌ１〜Ｌ５とに分け、くし歯を噛み合せた形態に配置されており、上側のセグメントドライバ４２は、その上側に引き出した信号電極Ｈ１〜Ｈ５（奇数番電極Ｙ１，Ｙ３〜Ｙ９）を駆動制御し、下側のセグメントドライバ４３は、その下側の信号電極Ｌ１〜Ｌ５（偶数番電極Ｙ２，Ｙ４〜Ｙ１０）を駆動制御する。
【００６２】
セグメントドライバ４２の内部構成は図１７に示すように、シフトレジスタ４４１、レベルシフタ４５１〜４５５及び電圧選択部４６１〜４６５により構成されており、図外の図示しない液晶駆動用電源から電源電圧として正電源Ｖ１と負電源Ｖ３が入力され、図外の図示しない制御部からＳＥＧ制御信号（データシフトクロック、データラッチ信号、上側電極用交流化信号）とＤＡＴＡ（表示データ）が入力されている。
【００６３】
シフトレジスタ４４１は、制御部から入力される表示データを、入力されるデータシフトクロックに同期して取り込み、その取り込んだ表示データを、信号電極の１水平走査期間に合わせてデータラッチ信号により全信号電極分ラッチして、そのラッチした表示データを同時にレベルシフタ４５１〜４５５に出力する。レベルシフタ４５１〜４５５は、全信号電極分の表示データを液晶駆動電圧レベルに変換して電圧選択部４６１〜４６５に出力する。そして、電圧選択部４６１〜４６５は、制御部から入力される上側電極用交流化信号により正電圧Ｖ１か負電圧Ｖ３を選択して上側信号電極Ｈ１〜Ｈ５を駆動する。
【００６４】
セグメントドライバ４３の内部構成は図１８に示すように、シフトレジスタ４７１、レベルシフタ４８１〜４８５及び電圧選択部４９１〜４９５により構成されており、図外の図示しない液晶駆動用電源から電源電圧として正電源Ｖ１と負電源Ｖ３が入力され、図外の図示しない制御部からＳＥＧ制御信号（データシフトクロック、データラッチ信号、下側電極用交流化信号）とＤＡＴＡ（表示データ）が入力されている。
【００６５】
シフトレジスタ４７１は、制御部から入力される表示データを、入力されるデータシフトクロックに同期して取り込み、その取り込んだ表示データを、信号電極の１水平走査期間に合わせてデータラッチ信号により全信号電極分ラッチして、そのラッチした表示データを同時にレベルシフタ４８１〜４８５に出力する。レベルシフタ４８１〜４８５は、全信号電極分の表示データを液晶駆動電圧レベルに変換して電圧選択部４９１〜４９５に出力する。そして、電圧選択部４９１〜４９５は、制御部から入力される上側電極用交流化信号により正電圧Ｖ１か負電圧Ｖ３を選択して下側信号電極Ｌ１〜Ｌ５を駆動する。
【００６６】
次に、本第２の実施の形態の動作を説明する。
【００６７】
コモンドライバ４１内のシフトレジスタ４０１では、制御部から入力される走査開始信号がラッチ信号によってラッチされて、走査電極Ｘ１〜Ｘ１０毎に１本ずつシフトされてレベルシフタ４１１〜４２０に出力される。レベルシフタ４１１〜４２０では、シフトレジスタ４０１から入力される走査開始信号が液晶駆動電圧レベルに変換されて電圧選択部４２１〜４３０に出力される。そして、電圧選択部４２１〜４３０では、制御部から入力される上記図４（ａ）に示したような交流化制御信号により走査電極３本毎に、走査側駆動電圧として正電圧Ｖ０あるいは負電圧Ｖ４が選択されて、上記図４（ｂ）〜（ｅ）に示したように走査電極Ｘ１〜Ｘ１０が順次シフトされて交流反転駆動される。
【００６８】
また、図５（ａ）に示したようなＤＩＳＰ  ＯＦＦ信号が制御部から入力されると、コモンドライバ４１では、走査側駆動電圧が強制的にＧＮＤ（グランド）レベルにされて、液晶表示パネル４４の画像表示をＯＦＦさせる。
【００６９】
セグメントドライバ４２内のシフトレジスタ４４１では、制御部から入力される上記図６（ｃ）に示したような表示データ（ＤＡＴＡ）が、入力されるデータシフトクロックに同期して取り込まれ、その取り込んだ表示データが、信号電極の１水平走査期間に合わせてデータラッチ信号により全信号電極分ラッチされて、そのラッチした表示データが同時にレベルシフタ４５１〜４５５に出力される。レベルシフタ４５１〜４５５では、上側信号電極分の表示データが液晶駆動電圧レベルに変換されて電圧選択部４６１〜４６５に出力される。そして、電圧選択部４６１〜４６５では、制御部から入力される上記図６（ａ）に示したような奇数電極用交流化信号に相当する上側電極用交流化信号により正電圧Ｖ１か負電圧Ｖ３が選択されて上記図６（ｄ）に示したような駆動パターンで上側信号電極Ｈ１〜Ｈ５が駆動される。
【００７０】
次いで、セグメントドライバ４３内のシフトレジスタ４７１では、制御部から入力される上記図６（ｃ）に示したような表示データ（ＤＡＴＡ）が、入力されるデータシフトクロックに同期して取り込まれ、その取り込んだ表示データが、信号電極の１水平走査期間に合わせてデータラッチ信号により全信号電極分ラッチされて、そのラッチした表示データが同時にレベルシフタ４８１〜４８５に出力される。レベルシフタ４８１〜４８５では、上側信号電極分の表示データが液晶駆動電圧レベルに変換されて電圧選択部４９１〜４９５に出力される。そして、電圧選択部４９１〜４９５では、制御部から入力される上記図６（ｂ）に示したような偶数電極用交流化信号に相当する下側電極用交流化信号により正電圧Ｖ１か負電圧Ｖ３が選択されて上記図６（ｅ）に示したような駆動パターンで下側信号電極Ｌ１〜Ｌ５が駆動される。
【００７１】
以上のように、本第２の実施の形態の液晶表示装置４０では、液晶表示パネル４４内の信号電極を電極１本おきに上側に引き出した信号電極Ｈ１〜Ｈ５と下側に引き出した信号電極Ｌ１〜Ｌ５に分け、上側に引き出した信号電極Ｈ１〜Ｈ５にはセグメントドライバ４２を接続し、下側に引き出した信号電極Ｌ１〜Ｌ５にはセグメントドライバ４３を接続して、セグメントドライバ４２には上側電極用交流化信号を入力し、セグメントドライバ４３には下側電極用交流化信号を入力して、上記第１の実施の形態のセグメントドライバ３と同様の信号電極の駆動制御を行うことを可能にしたため、スパイク波形による液晶印加電圧の実効値の変化量を軽減して、クロストークの発生を軽減することができるとともに、セグメントドライバ４２、４３の回路構成を簡略化することができる。
【００７２】
その結果、クロストークの発生を低減して、液晶表示装置４０に表示される表示画像の画質を向上させることができる。
【００７３】
また、本第２の実施の形態の液晶表示装置４０では、液晶表示パネル４４内の信号電極の配置を電極１本おきに上側の信号電極Ｈ１〜Ｈ５と下側の信号電極Ｌ１〜Ｌ５に分け、これに対応させて液晶表示パネル４４の上側と下側に夫々セグメントドライバ４２、４３を設けるようにしたため、１個のドライバに１種類の交流化信号が入力されるだけであり、第１の実施の形態の液晶表示装置１において液晶表示パネル４の片側に設けられた２種類の交流化信号が入力されるセグメントドライバ３に比べて、内部の回路構成を簡略化することができ、そのセグメントドライバ４２、４３をＩＣ化する際の回路面積を小さくして実装面積を縮小することができる。
【００７４】
なお、上記第２の実施の形態の液晶表示装置４０では、信号電極側の交流化信号を上記図６に示した形態の奇数電極用交流化信号と偶数電極用交流化信号に相当する上側電極用交流化信号と下側電極用交流化信号としたが、この信号形態に限るものではなく、例えば、上記図１３に示すような信号形態の奇数電極用交流化信号と偶数電極用交流化信号としてもよい。
【００７５】
（参考例）
図１９〜図２４は、参考例としての液晶表示装置を示す図である。
【００７６】
まず、構成を説明する。
【００７７】
図１９は、この参考例の液晶表示装置５０の要部構成を示すブロック図である。この図１９において、液晶表示装置５０は、ＣＯＭドライバ（以下、コモンドライバという）５１、ＳＥＧドライバ（以下、セグメントドライバという）５２、５３及び液晶表示パネル５４により構成されている。この液晶表示パネル５４は、１０×１０ドットサイズのものとする
【００７８】
コモンドライバ５１は、図２０に示すように、シフトレジスタ５０１、レベルシフタ５１１〜５２０及び電圧選択部５２１〜５３０により構成されており、図外の図示しない液晶駆動用電源から電源電圧として正電源Ｖ０と負電源Ｖ４が入力され、図外の図示しない制御部からＣＯＭ制御信号（ラッチ信号、走査開始信号、交流化制御信号、ＤＩＳＰ  ＯＦＦ信号）が入力されている。
【００７９】
シフトレジスタ５０１は、制御部から入力される走査開始信号をラッチ信号によってラッチして走査電極毎に１本ずつシフトしてレベルシフタ５１１〜５２０に出力する。レベルシフタ５１１〜５２０は、シフトレジスタ５０１から入力される走査開始信号を液晶駆動電圧レベルに変換して電圧選択部５２１〜５３０に出力する。そして、電圧選択部５２１〜５３０は、制御部から入力される交流化制御信号により走査側駆動電圧を正電圧Ｖ０か負電圧Ｖ４を選択して走査電極Ｘ１〜Ｘ１０を順次駆動する。
【００８０】
また、電圧選択部５２１〜５３０は、制御部から入力されるＤＩＳＰ  ＯＦＦ信号により走査側駆動電圧を強制的にＧＮＤ（グランド）レベルにして、液晶表示パネル５４の画像表示をＯＦＦさせる。
【００８１】
図１６に示すように、信号電極が液晶表示パネル４４の上側に引き出した信号電極Ｈ１〜Ｈ５と下側に引き出した信号電極Ｌ１〜Ｌ５に分け、くし歯を噛み合せた形態に配置されており、上側のセグメントドライバ５２は、その上側に引き出した信号電極Ｈ１〜Ｈ５（奇数電極Ｙ１，Ｙ３，Ｙ５，・・）を駆動制御し、下側のセグメントドライバ５３は、その下側の信号電極Ｌ１〜Ｌ５（偶数電極Ｙ２，Ｙ４，Ｙ６，・・）を駆動制御する。
【００８２】
セグメントドライバ５２の内部構成は図２２に示すように、シフトレジスタ５４１、レベルシフタ５５１〜５５５及び電圧選択部５６１〜５６５により構成されており、図外の図示しない液晶駆動用電源から電源電圧として正電源Ｖ１と負電源Ｖ３が入力され、図外の図示しない制御部からＳＥＧ制御信号（データシフトクロック、データラッチ信号、奇数組電極用交流化信号、偶数組電極用交流化信号）とＤＡＴＡ（表示データ）が入力されている。
【００８３】
シフトレジスタ５４１は、制御部から入力される表示データを、入力されるデータシフトクロックに同期して取り込み、その取り込んだ表示データを、信号電極の１水平走査期間に合わせてデータラッチ信号により全信号電極分ラッチして、そのラッチした表示データを同時にレベルシフタ５５１〜５５５に出力する。レベルシフタ５５１〜５５５は、全信号電極分の表示データを液晶駆動電圧レベルに変換して電圧選択部５６１〜５６５に出力する。そして、電圧選択部５６１〜５６５は、制御部から入力される奇数組電極用交流化信号により正電圧Ｖ１か負電圧Ｖ３を選択して上側の奇数組信号電極Ｈ１，Ｈ３，Ｈ５を駆動するとともに、制御部から入力される偶数組電極用交流化信号により正電圧Ｖ１か負電圧Ｖ３を選択して上側の偶数組電極用信号電極Ｈ２，Ｈ４を駆動する。
【００８４】
セグメントドライバ５３の内部構成は図２３に示すように、シフトレジスタ５７１、レベルシフタ５８１〜５８５及び電圧選択部５９１〜５９５により構成されており、図外の図示しない液晶駆動用電源から電源電圧として正電源Ｖ１と負電源Ｖ３が入力され、図外の図示しない制御部からＳＥＧ制御信号（データシフトクロック、データラッチ信号、奇数組電極用交流化信号、偶数組電極用交流化信号）とＤＡＴＡ（表示データ）が入力されている。
【００８５】
シフトレジスタ５７１は、制御部から入力される表示データを、入力されるデータシフトクロックに同期して取り込み、その取り込んだ表示データを、信号電極の１水平走査期間に合わせてデータラッチ信号により全信号電極分ラッチして、そのラッチした表示データを同時にレベルシフタ５８１〜５８５に出力する。レベルシフタ５８１〜５８５は、全信号電極分の表示データを液晶駆動電圧レベルに変換して電圧選択部５９１〜５９５に出力する。そして、電圧選択部５９１〜５９５は、制御部から入力される奇数組電極用交流化信号により正電圧Ｖ１か負電圧Ｖ３を選択して下側の奇数組信号電極Ｌ１，Ｌ３，Ｌ５を駆動するとともに、制御部から入力される偶数組電極用交流化信号により正電圧Ｖ１か負電圧Ｖ３を選択して下側の偶数組信号電極Ｌ２，Ｌ４を駆動する。
【００８６】
なお、セグメントドライバ５２、５３には同一の奇数組電極用交流化信号と偶数組電極用交流化信号が夫々入力される。
【００８７】
次に、この参考例の動作を説明する。
【００８８】
コモンドライバ５１内のシフトレジスタ５０１では、制御部から入力される走査開始信号がラッチ信号によってラッチされて、走査電極Ｘ１〜Ｘ１０毎に１本ずつシフトされてレベルシフタ５１１〜５２０に出力される。レベルシフタ５１１〜５２０では、シフトレジスタ５０１から入力される走査開始信号が液晶駆動電圧レベルに変換されて電圧選択部５２１〜５３０に出力される。そして、電圧選択部５２１〜５３０では、制御部から入力される図４（ａ）に示したような交流化制御信号により走査電極３本毎に、走査側駆動電圧として正電圧Ｖ０あるいは負電圧Ｖ４が選択されて、図４（ｂ）〜（ｅ）に示したように走査電極Ｘ１〜Ｘ１０が順次シフトされて交流反転駆動される。
【００８９】
また、図５（ａ）のＤＩＳＰ  ＯＦＦ信号が制御部から入力されると、コモンドライバ５１では、走査側駆動電圧が強制的にＧＮＤ（グランド）レベルにされて、液晶表示パネル５４の画像表示をＯＦＦさせる。
【００９０】
次いで、セグメントドライバ５２、５３における動作について図２４に示すタイミングチャートを参照して説明する。
【００９１】
図２４において、（ａ）は奇数組電極用交流化信号、（ｂ）は偶数電極用交流化信号、（ｃ）は表示データ（ＤＡＴＡ）、（ｄ）は奇数組に属する個々の信号電極Ｙ１，Ｙ２，Ｙ５，Ｙ６・・の駆動信号を示し、（ｅ）は偶数組に属する個々の電極Ｙ３，Ｙ４，Ｙ７，Ｙ８・・の信号電極駆動信号をそれぞれ示す。
【００９２】
セグメントドライバ５２内のシフトレジスタ５４１では、制御部から入力される図２４（ｃ）に示す表示データ（ＤＡＴＡ）が、入力されるデータシフトクロックに同期して取り込まれ、その取り込んだ表示データが、信号電極の１水平走査期間に合わせてデータラッチ信号により全信号電極分ラッチされて、そのラッチした表示データが同時にレベルシフタ５５１〜５５５に出力される。レベルシフタ５５１〜５５５では、全信号電極分の表示データが液晶駆動電圧レベルに変換されて電圧選択部５６１〜５６５に出力される。
【００９３】
そして、電圧選択部５６１〜５６５では、制御部から入力される図２４（ａ）に示す奇数組電極用交流化信号により正電圧Ｖ１か負電圧Ｖ３が選択されて図２４（ｄ）に示すように上側の奇数組信号電極Ｈ１，Ｈ３，Ｈ５、すなわち信号電極Ｙ１，Ｙ５，Ｙ９が駆動されるとともに、制御部から入力される図２４（ｂ）に示す偶数組電極用交流化信号により正電圧Ｖ１か負電圧Ｖ３が選択されて図２４（ｅ）に示すように上側の偶数組信号電極Ｈ２，Ｈ４、すなわち信号電極Ｙ３，Ｙ７が駆動される。
【００９４】
また、セグメントドライバ５３内のシフトレジスタ５７１では、制御部から入力される図２４（ｃ）に示す表示データ（ＤＡＴＡ）が、入力されるデータシフトクロックに同期して取り込まれ、その取り込んだ表示データが、信号電極の１水平走査期間に合わせてデータラッチ信号により全信号電極分ラッチされて、そのラッチした表示データが同時にレベルシフタ５８１〜５８５に出力される。レベルシフタ５５１〜５５５では、全信号電極分の表示データが液晶駆動電圧レベルに変換されて電圧選択部５９１〜５９５に出力される。
【００９５】
そして、電圧選択部５９１〜５９５では、制御部から入力される図２４（ａ）に示す奇数組電極用交流化信号により正電圧Ｖ１か負電圧Ｖ３が選択されて図２４（ｄ）に示すように下側の奇数組信号電極Ｌ１，Ｌ３，Ｌ５、すなわち信号電極Ｙ２，Ｙ６，Ｙ１０が駆動されるとともに、制御部から入力される図２４（ｂ）に示す偶数組電極用交流化信号により正電圧Ｖ１か負電圧Ｖ３が選択されて図２４（ｅ）に示すように下側の偶数組信号電極Ｌ２，Ｌ４、すなわち信号電極Ｙ４，Ｙ８が駆動される。
【００９６】
この図２４に示すように、上記図２１に示したように上下に分けられた上側の信号電極Ｈ１〜Ｈ５と下側の信号電極Ｌ１〜Ｌ５とが、さらに奇数組電極用交流化信号と偶数組電極用交流化信号とで分けて駆動することにより、上側の信号電極Ｈ１〜Ｈ５と下側の信号電極Ｌ１〜Ｌ５のうち隣接する２本を組にして交流駆動されることになる。すなわち、上側と下側の奇数組電極に相当する信号電極Ｙ１とＹ２の組、Ｙ５とＹ６の組、及びＹ９とＹ１０の組が同じ奇数組電極用交流化信号で交流駆動され、上側と下側の偶数組電極に相当する信号電極Ｙ３とＹ４の組、及びＹ７とＹ８の組が同じ偶数組電極用交流化信号で交流駆動される。
【００９７】
このような駆動方式により、その組毎に印加される信号電極駆動信号の切り替わる時に発生するスパイク波形は、隣接する組によって相殺されることになる。例えば、信号電極Ｈ１（Ｙ１）とＬ１（Ｙ２）の組と、隣接する信号電極Ｈ２（Ｙ３）とＬ２（Ｙ４）の組とでみると、信号電極Ｈ１（Ｙ１）に印加される信号電極駆動信号と信号電極Ｈ２（Ｙ３）に印加される信号電極駆動信号とで相殺され、信号電極Ｌ１（Ｙ２）に印加される信号電極駆動信号と信号電極Ｌ２（Ｙ４）に印加される信号電極駆動信号とで相殺される。
【００９８】
したがって、その他の信号電極の組と隣接する信号電極の組とに印加される信号電極駆動信号の切り替わる時に発生するスパイク波形も、同様に相殺されるようになる。
【００９９】
したがって、上記図２１に示したように上側の信号電極Ｈ１〜Ｈ５と下側の信号電極Ｌ１〜Ｌ５と上下に分けられた場合、その上下に接続されるセグメントドライバ５２、５３の各接続部から遠ざかるに従って変化する各電極内の抵抗変化によって、印加される各信号電極駆動信号内に発生する電位差の影響を、上記駆動方式により相殺することが可能となる。
【０１００】
すなわち、上側の信号電極Ｈ１〜Ｈ５では、セグメントドライバ５２に接続される接続部近傍と下側の信号電極Ｌ１〜Ｌ５側に近くなる下側とでは、その各信号電極Ｈ１〜Ｈ５内の抵抗値に差が生じ、同様に、下側の信号電極Ｌ１〜Ｌ５では、セグメントドライバ５３に接続される接続部近傍と上側の信号電極Ｈ１〜Ｈ５側に近くなる上側とでは、その各信号電極Ｌ１〜Ｌ５内の抵抗値に差が生じ、この抵抗値の差によって印加される各信号電極駆動信号に電位差が発生する。この電位差分は、上記第２の実施の形態で示したような駆動方式では相殺されないが、この参考例の駆動方式では、信号電極の隣接する組で相殺することができる。
【０１０１】
したがって、この参考例の液晶表示装置５０では、液晶表示パネル５４内の信号電極の配置を上下に分けてくし型とし、その上下にセグメントドライバ５２、５３を接続した回路構成であっても、交流駆動により発生するスパイク波形の影響を相殺できるとともに、その信号電極内の抵抗変化に伴って発生する電位差の影響を相殺することができる。
【０１０２】
その結果、クロストークの発生を低減して、液晶表示装置５０に表示される表示画像の画質を向上させることができる。
【０１０３】
また、この参考例の液晶表示装置５０では、液晶表示パネル５４内の信号電極の配置を上側の信号電極Ｈ１〜Ｈ５と下側の信号電極Ｌ１〜Ｌ５に分けてくし型とし、その上下にセグメントドライバ５２、５３を設けるようにしたため、第１の実施の形態の液晶表示装置１において液晶表示パネル４の片側に設けられたセグメントドライバ３に比べて、内部の回路構成を簡略化することができ、そのセグメントドライバ５２、５３をＩＣ化する際の回路面積を小さくして実装面積を縮小することができる。
【０１０４】
なお、上記参考例の液晶表示装置５０では、信号電極側の交流化信号を図２４に示した形態の奇数組電極用交流化信号と偶数組電極用交流化信号としたが、この信号形態に限るものではなく、他の信号形態の奇数組電極用交流化信号と偶数組電極用交流化信号としてもよい。さらに、信号電極側の交流化信号として２本の奇数組電極用交流化信号と偶数組電極用交流化信号を用いた場合を説明したが、交流化信号を２本以上用いるようにしてもよい。
【０１０５】
【発明の効果】
請求項１記載の発明の液晶表示装置によれば、奇数番信号電極と偶数番信号電極に印加される各映像入力信号の極性反転前後にスパイク波形を分散させて発生させるようにすることができ、このスパイク波形による液晶印加電圧の実効値の変化量を軽減して、クロストークの発生を軽減することができる。その結果、クロストークの発生を低減して、また選択期間に印加される液晶印加電圧の実効値と非選択期間に印加される液晶印加電圧の実効値とを等しくして、液晶表示装置に表示される表示画像の画質を向上させることができる。
【０１０６】
請求項２および請求項３記載の発明の液晶表示装置によれば、上下に分けた信号電極に印加される各入力信号の極性反転前後にスパイク波形を分散させて発生させるようにすることができ、このスパイク波形による液晶印加電圧の実効値の変化量を軽減するようにすることができ、クロストークの発生を軽減することができる。その結果、クロストークの発生を低減して、液晶表示装置に表示される表示画像の画質を向上させることができる。
【０１０７】
また、信号電極の分割に対応させて駆動手段を上下に分けることにより、上下各駆動手段に夫々１種類の交流化信号を入力させるだけで上述した所期の効果を得ることができるので、内部の回路構成を簡略化することができ、その駆動手段をＩＣ化する際の回路面積を小さくして実装面積を縮小することができる。加えて、電極の接続端子部の配列ピッチが２倍になり、配線接続の信頼性が向上する。
【０１０８】
請求項４記載の発明の液晶表示装置によれば、信号電極に印加され各映像入力信号の極性反転前後にスパイク波形を分散させて発生させるようにすることができ、このスパイク波形による液晶印加電圧の実効値の変化量が軽減され、クロストークの発生を軽減して、この液晶表示装置に表示される表示画像の画質を更に向上させることができる。
【０１０９】
また、請求項５記載の発明によれば、選択期間に印加される液晶印加電圧の実効値と非選択期間に印加される液晶印加電圧の実効値とを等しくして、液晶表示パネルに表示される画像の表示品質が向上する。
【図面の簡単な説明】
【図１】本発明を適用した第１の実施の形態の液晶表示装置１の要部構成を示すブロック図。
【図２】図１のコモンドライバ２内部の回路構成を示す図。
【図３】図１のセグメントドライバ３内部の回路構成を示す図。
【図４】図１のコモンドライバ２の動作を説明するためのタイミングチャート。
【図５】図１のコモンドライバ２のＤＩＳＰ  ＯＦＦ信号に対する動作を説明するためのタイミングチャート。
【図６】図１のセグメントドライバ３の動作を説明するためのタイミングチャート。
【図７】図１の液晶表示パネル４における表示例を示す図。
【図８】図７の表示例に応じた従来の電圧平均化駆動方式による駆動波形と本案の駆動方式による駆動波形を示す図。
【図９】図８の期間Ａ及び期間Ｂにおける従来の電圧平均化駆動方式による駆動波形の拡大図。
【図１０】図８の期間Ａ及び期間Ｂにおける本案の駆動方式による駆動波形の拡大図。
【図１１】本案の駆動方式による任意の非選択期間においてある画素に印加される液晶印加電圧の時間変化を示す図。
【図１２】本案の駆動方式による任意の選択期間において印加される液晶印加電圧の時間変化を示す図。
【図１３】図６に示した奇数電極用交流化信号と偶数電極用交流化信号の他の例を示す図。
【図１４】本発明を適用した第２の実施の形態の液晶表示装置４０の要部構成を示すブロック図。
【図１５】図１４のコモンドライバ４１内部の回路構成を示す図。
【図１６】図１４の液晶表示パネル４４内の信号電極とセグメントドライバ４２、４３の接続関係を示す図。
【図１７】図１４のセグメントドライバ４２内部の回路構成を示す図。
【図１８】図１４のセグメントドライバ４３内部の回路構成を示す図。
【図１９】参考例としての液晶表示装置５０の要部構成を示すブロック図。
【図２０】図１９のコモンドライバ５１内部の回路構成を示す図。
【図２１】図１９の液晶表示パネル５４内の信号電極とセグメントドライバ５２、５３の接続関係を示す図。
【図２２】図１９のセグメントドライバ５２内部の回路構成を示す図。
【図２３】図１９のセグメントドライバ５３内部の回路構成を示す図。
【図２４】図１９のセグメントドライバ５２、５３の動作を説明するためのタイミングチャート。
【符号の説明】
１、４０、５０  液晶表示装置
２、４１、５１  コモンドライバ
３、５２、５３、４２、４３  セグメントドライバ
４、４４、５４  液晶表示パネル
２０１、４０１、５０１  シフトレジスタ
２１１〜２２０、４１１〜４２０、５１１〜５２０  レベルシフタ
２２１〜２３０、４２１〜４３０、５２１〜５３０  電圧選択部
３０１、４４１、５４１、５７１  シフトレジスタ
３１１〜３２０、４５１〜４５５、５５１〜５５５、５８１〜５８５  レベルシフタ
３２１〜３３０、４６１〜４６５、５６１〜５６５、５９１〜５９５  電圧選択部
【図１】
0003612895.tif 000002
【図２】
0003612895.tif 000003
【図３】
0003612895.tif 000004
【図４】
0003612895.tif 000005
【図５】
0003612895.tif 000006
【図６】
0003612895.tif 000007
【図７】
0003612895.tif 000008
【図８】
0003612895.tif 000009
【図９】
0003612895.tif 000010
【図１０】
0003612895.tif 000011
【図１１】
0003612895.tif 000012
【図１２】
0003612895.tif 000013
【図１３】
0003612895.tif 000014
【図１４】
0003612895.tif 000015
【図１５】
0003612895.tif 000016
【図１６】
0003612895.tif 000017
【図１７】
0003612895.tif 000018
【図１８】
0003612895.tif 000019
【図１９】
0003612895.tif 000020
【図２０】
0003612895.tif 000021
【図２１】
0003612895.tif 000022
【図２２】
0003612895.tif 000023
【図２３】
0003612895.tif 000024
【図２４】
0003612895.tif 000025